(57)【要約】【課題】携帯型端末を所持した人が情報対象に関する情報を容易に受け取ることができ、しかも容易にかつ安価に情報提供システムを構築できるようにすることにある。【解決手段】情報対象に関する情報を携帯型端末で出力する情報提供システムにおいて、前記情報対象の近傍位置に固定配置されて情報対象の識別信号を所定範囲内に無線で連続的もしくは断続的に送信する識別信号送信手段と、複数の識別信号にそれぞれ対応する複数の情報対象の情報を保持するとともに特定の識別信号を与えられるとその識別信号に対応する情報対象の情報を出力する情報保持手段と、前記識別信号送信手段から識別信号を無線で受信すると前記情報保持手段に無線で接続してその受信した識別信号を与え、その情報保持手段から前記受信した識別信号に対応する情報対象の情報を受け取って出力する携帯型端末と、を具えることを特徴とするものである。【選択図】図１
2016219942.tif 000002
【特許請求の範囲】
【請求項１】
情報対象に関する情報を携帯型端末で出力する情報提供システムにおいて、
前記情報対象の近傍位置に固定配置されて情報対象の識別信号を所定範囲内に無線で連続的もしくは断続的に送信する識別信号送信手段と、
複数の識別信号にそれぞれ対応する複数の情報対象の情報を保持するとともに特定の識別信号を与えられるとその識別信号に対応する情報対象の情報を出力する情報保持手段と、
前記識別信号送信手段から識別信号を無線で受信すると前記情報保持手段に無線で接続してその受信した識別信号を与え、その情報保持手段から前記受信した識別信号に対応する情報対象の情報を受け取って出力する携帯型端末と、
を具えることを特徴とする情報提供システム。
【請求項２】
前記識別信号送信手段はＢＬＥであることを特徴とする、請求項１記載の情報提供システム。
【請求項３】
前記情報保持手段はインターネットに常時接続されたサーバーであることを特徴とする、請求項１または２記載の情報提供システム。
【請求項４】
前記携帯型端末はアプリケーションソフトウェアとしてビーコンソフトウェアを搭載したスマートフォンであることを特徴とする、請求項１から３までの何れか１項記載の情報提供システム。
【発明の詳細な説明】
【技術分野】
【０００１】
この発明は、案内板や展示物等の情報対象に関する情報を携帯電話機等の携帯型端末で提供する情報提供システムに関するものである。
【背景技術】
【０００２】
上述の如き情報提供システムとしては、例えば特許文献１記載のものが知られており、この情報提供システムは、美術館等の展示施設の出入口に、無線通信機能と情報保持機能とを持つ入退場検出装置を配置し、この入退場検出装置は、所定の動作プログラムが作動している携帯電話機を常時探知しており、その携帯電話機を所持した人の入場を検知するとその携帯電話機に無線通信して、携帯電話機にその動作プログラムにより入場を認識させる。
【０００３】
入場を認識した携帯電話機は入退場検出装置から全ての展示物についての展示物のＩＤと情報との組と制御アプリケーションソフトウェアとを無線で受信して保存し、携帯電話機を所持した人が特定の展示物に近寄るとその展示物に付された発信機がＩＤを発信し、そのＩＤを受信した携帯電話機はＩＤに対応する展示物の保存している情報を、保存している制御アプリケーションソフトウェアによって文字、画像、音声等で出力する。
【０００４】
そして入退場検出装置は、上記携帯電話機を所持した人の退場を検知するとその携帯電話機に無線通信して、携帯電話機に上記動作プログラムにより退場を認識させ、退場を認識した携帯電話機は上記動作プログラムにより、保存していた展示物のＩＤと情報および制御アプリケーションソフトウェアを消去する、というものである。
【先行技術文献】
【特許文献】
【０００５】
【特許文献１】特開２０１３−１９１０６５号公報
【発明の概要】
【発明が解決しようとする課題】
【０００６】
しかしながら、上記従来の情報提供システムでは、展示施設の出入口に入退場検出装置を設置して携帯電話機に情報の保存と削除とを行わせる必要があるため、システムの構築に手間と費用が嵩むという問題があった。
【０００７】
一方、近年の携帯型端末は高い処理機能と通信機能と情報提供機能とを有しており、本発明者は、これらの機能を活用することで従来のシステムの課題を解決することを想到した。
【課題を解決するための手段】
【０００８】
この発明は上述の点に鑑みて従来の情報提供システムの課題を有利に解決するものであり、この発明の情報提供システムは、情報対象に関する情報を携帯型端末で出力する情報提供システムにおいて、前記情報対象の近傍位置に固定配置されて情報対象の識別信号を所定範囲内に無線で連続的もしくは断続的に送信する識別信号送信手段と、複数の識別信号にそれぞれ対応する複数の情報対象の情報を保持するとともに特定の識別信号を与えられるとその識別信号に対応する情報対象の情報を出力する情報保持手段と、前記識別信号送信手段から識別信号を無線で受信すると前記情報保持手段に無線で接続してその受信した識別信号を与え、その情報保持手段から前記受信した識別信号に対応する情報対象の情報を受け取って出力する携帯型端末と、を具えることを特徴とするものである。
【発明の効果】
【０００９】
かかるこの発明の情報提供システムにあっては、識別信号送信手段は、案内板や展示物等の情報対象の近傍位置に固定配置されてその情報対象の識別信号を所定範囲内に無線で連続的もしくは断続的に送信し、その一方で情報保持手段は、複数の識別信号にそれぞれ対応する複数の情報対象の情報を保持するとともに特定の識別信号を与えられるとその識別信号に対応する情報対象の情報を出力し、携帯型端末は、識別信号送信手段から所定範囲内に入ってその識別信号送信手段から識別信号を無線で受信すると、情報保持手段に無線で接続して識別信号送信手段から受信した識別信号を情報保持手段に与え、識別信号送信手段から受信した識別信号に対応する情報対象の情報を情報保持手段から受け取ってその情報を出力する。
【００１０】
従って、この発明の情報提供システムによれば、携帯型端末を所持した人が案内板や展示物等の情報対象に近寄るだけで、携帯型端末からその情報対象に関する情報が文字や画像や音声等で出力されるので、携帯型端末を所持した人はその情報対象に関する情報を容易に受け取ることができる。
【００１１】
しかも、この発明の情報提供システムによれば、情報保持手段は携帯型端末と無線で接続できさえすればどこに設置されていてもよく、携帯型端末は情報対象の識別信号の、識別信号送信手段からの受信と情報保持手段への送信およびその識別信号に対応する情報対象の情報の受信および出力を行う機能を例えば動作プログラム（アプリケーションソフトウェア）として与えられていれば足りるので、容易に情報提供システムを構築でき、構築費用も安価に済ませることができる。
【００１２】
なお、この発明の情報提供システムにおいては、前記識別信号送信手段はＢＬＥ（Bluetooth  Low  Energy）であってもよく、前記情報保持手段はインターネットに常時接続されたサーバーであってもよく、そして前記携帯型端末はアプリケーションソフトウェアとしてビーコン（Beacon）ソフトウェアを搭載したスマートフォンであってもよい。
【図面の簡単な説明】
【００１３】
【図１】本発明の情報提供システムの一実施形態の構成を模式的に示す説明図である。
【図２】上記実施形態の情報提供システムにおける携帯型端末の構成を模式的に示すブロック線図である。
【発明を実施するための形態】
【００１４】
以下、本発明の実施の形態を実施例によって、図面に基づき詳細に説明する。ここに、図１は、本発明の情報提供システムの一実施形態の構成を模式的に示す説明図であり、図２は、上記実施形態の情報提供システムにおける携帯型端末の構成を模式的に示すブロック線図である。
【００１５】
この実施形態の情報提供システムは、図１に示すように、例えば公園内の特定箇所に設置されて情報としての地図情報Ｍを表示する情報対象としての案内板Ｇの背面に埋設固定された識別信号送信手段としての例えばＢＬＥ（Bluetooth Low Energy）１と、インターネットＮに図示しないルーターを介して常時接続された情報保持手段としての例えばサーバー２と、ＢＬＥ１からブルートゥース規格に基づき無線で識別信号を受信し得るとともに基地局Ｂおよび電話局Ｔを介してインターネットＮに接続し得る携帯型端末としての例えばスマートフォン３とを具えている。
【００１６】
ここでのＢＬＥ１は、直径３ｃｍ程の円盤状をなすパッケージ内に無線送信回路とメモリと電池とを内蔵した既知のもので、メモリ内に記憶したそのＢＬＥ１を埋設された案内板Ｇを示す識別信号を無線送信回路により、当該ＢＬＥ１から半径数メートルの範囲内に到達する、ブルートゥース規格に基づいた微弱な電波で、例えば毎秒１回ずつ断続的に送信するものであり、電池を交換しなくても数年間作動し続けることができる（例えばｈｔｔｐ：／／ｅ−ｗｏｒｄｓ．ｊｐ／ｗ／ＢＬＥ．ｈｔｍｌ参照）。
【００１７】
また、ここでのサーバー２は、通常のコンピュータにより構成され、あらかじめ与えられたプログラムに基づき作動するもので、機能的には、上記案内板Ｇを示す識別信号を含む複数の識別信号にそれぞれ対応する複数の情報対象の情報を保持する情報保持部２ａと、インターネットＮを介して特定の情報端末から特定の識別信号を与えられるとその識別信号に対応する情報対象の情報を情報保持部２ａから読み出してその特定の情報端末に出力するインターフェイス部２ｂとを有している。
【００１８】
そして、ここでのスマートフォン３は、マイクロコンピュータの如き演算処理機能と携帯電話機の如き無線通信機能とを有する通常のもので、アプリケーションソフトウェアとしてのいわゆるビーコン（Beacon）ソフトウェアを搭載し、そのビーコンソフトウェアを実行することにより、機能的には、図２に示すように、ブルートゥース規格に基づき無線でＢＬＥ１から、ＢＬＥ１を固定設置された上記案内板Ｇの如き情報対象を示す識別信号を受信する識別信号受信部３ａと、識別信号受信部３ａが識別信号を受信すると携帯電話基地局Ｂと無線で接続し、その携帯電話基地局Ｂと電話局Ｔ内のパケット交換機およびゲートウェイとインターネット回線Ｎとを介してサーバー２に接続して、その識別信号をサーバー２に送信し、これを受けたサーバー２が逆の経路で送信するその識別信号に対応する情報対象の情報を受信して保存する識別信号対応情報取得部３ｂと、識別信号対応情報取得部３ｂが保存した情報をそれが文字や画像であればスマートフォン３のディスプレイ３ｄに表示し、それが音声であればスマートフォン３のスピーカーやイヤホンから出力する情報出力部３ｃとを有している。
【００１９】
なお、上述したビーコンソフトウェアとして、例えばアップル社のスマートフォンであるアイフォンのオペレーティングソフトウェアであるアイオーエス７（iOS7：商品名）に搭載されたアイビーコン（iBeacon：商品名）を用いることができる（例えばｈｔｔｐｓ：／／ｓｕｐｐｏｒｔ．ａｐｐｌｅ．ｃｏｍ／ｊａ−ｊｐ／ＨＴ２０２８８０参照）。しかしながらこれに限られるものではない。
【００２０】
かかる構成を具えるこの実施形態の情報提供システムにあっては、ＢＬＥ１は、案内板Ｇの背面に埋設固定されてその案内板Ｇを示す識別信号（ＩＤ）を半径数メートルの範囲内に無線で断続的に送信し、その一方でサーバー２は、複数の識別信号にそれぞれ対応する複数の情報対象の情報を情報保持部２ａで保持するとともに特定の識別信号、例えば案内板Ｇを示す識別信号等をインターフェイス部２ｂに与えられるとその識別信号に対応する情報対象の情報、例えば案内板Ｇの地図情報Ｍ等を情報保持部２ａから読み出してインターフェイス部２ｂから画像データ等として出力し、スマートフォン３は、ユーザーＵに所持されて案内板ＧのＢＬＥ１から半径数メートルの範囲内に入って、識別信号受信部３ａがそのＢＬＥ１から案内板Ｇを示す識別信号を無線で受信すると、識別信号対応情報取得部３ｂが、上記経路でサーバー２に接続し、ＢＬＥ１から受信した案内板Ｇを示す識別信号をサーバー２に与えて、その識別信号に対応する情報対象である案内板Ｇの情報である地図情報Ｍをサーバー２から受け取り、情報出力部３ｃがその地図情報Ｍをディスプレイ３ｄに表示出力する。
【００２１】
従って、この実施形態の情報提供システムによれば、スマートフォン３を所持したユーザーＵが案内板Ｇに近寄るだけで、スマートフォン３からその案内板Ｇの情報である地図情報Ｍが画像で出力されるので、スマートフォン３を所持したユーザーＵはその案内板Ｇの地図情報Ｍを容易に受け取ることができ、スマートフォン３の画面表示機能でその地図情報Ｍを拡大・縮小したり、必要な間スマートフォン３に保存して必要がなくなったら削除したりすることができる。
【００２２】
しかもこの実施形態の情報提供システムによれば、サーバー２はスマートフォン３と無線で接続できさえすればどこに設置されていてもよく、あるいは複数台のサーバーで分散して情報を保持していてもよく、またスマートフォン３は情報対象の識別信号の、ＢＬＥ１からの受信とサーバー２への送信およびサーバー２からのその識別信号に対応する情報対象の情報の受信およびその情報の出力を行う機能をアプリケーションソフトウェアとして与えられていれば足りるので、容易に情報提供システムを構築でき、構築費用も安価に済ませることができる。
【００２３】
さらに、この実施形態の情報提供システムによれば、このシステム用のサーバー２の情報保持部２ａが情報対象の情報を保持し、スマートフォン３は、情報対象の情報が表示されたホームページでなくサーバー２の情報保持部２ａからその情報を受け取るので、ホームページを持っていない情報提供者でもこのシステムを利用して情報対象の情報をスマートフォン３のユーザーＵに提供することができ、しかもウイルスソフトウェアへの感染の危険を除去することが一般に困難であるホームページを用いないので、スマートフォン３のユーザーＵは情報対象の情報を安全に受け取ることができる。
【００２４】
なお、サーバー２は、識別信号に対応する情報対象の情報を多言語で保持するかその情報の言語の変換機能を有していて、スマートフォン３から情報対象の識別信号と一緒に送信される言語情報に対応する言語で情報をスマートフォン３に送信してもよく、このようにすれば、スマートフォン３のユーザーＵは地図情報等の文字を自国の言語で読んだり展示物の説明等を自国の言語で聞いたりすることができる。
【００２５】
以上、図示例に基づき説明したが、この発明は上述の例に限定されるものでなく特許請求の範囲の記載範囲内で適宜変更し得るものであり、例えばこの発明の情報提供システムが情報を出力する情報対象は、上記案内板Ｇを含む屋外サインの他、屋内サインや、博物館・動物園等の文化・娯楽施設における説明表示、植物園における樹名板等であってもよい。また、識別信号送信手段は、ＢＬＥ１でなく、赤外線等を用いて携帯型端末と光通信を行う機能を持つものでもよい。さらに、携帯型端末は、スマートフォン３でなく、インターネットに接続可能ないわゆるパッド型端末であってもよい。
【産業上の利用可能性】
【００２６】
かくしてこの発明の情報提供システムによれば、携帯型端末を所持した人が案内板や展示物等の情報対象に近寄るだけで、携帯型端末からその情報対象に関する情報が文字や画像や音声等で出力されるので、携帯型端末を所持した人はその情報対象に関する情報を容易に受け取ることができ、しかも、容易に情報提供システムを構築でき、構築費用も安価に済ませることができる。
【００２７】
１  ＢＬＥ
２  サーバー
２ａ  情報保持部
２ｂ  インターフェイス部
３  スマートフォン
３ａ  識別信号受信部
３ｂ  識別信号対応情報取得部
３ｃ  情報出力部
３ｄ  ディスプレイ
Ｂ  携帯電話基地局
Ｇ  案内板
Ｍ  地図情報
Ｎ  インターネット
Ｔ  電話局
Ｕ  ユーザー
【図１】
2016219942.tif 000003
【図２】
2016219942.tif 000004
【手続補正書】
【提出日】平成28年9月8日(2016.9.8)
【手続補正１】
【補正対象書類名】特許請求の範囲
【補正対象項目名】全文
【補正方法】変更
【補正の内容】
【特許請求の範囲】
【請求項１】
情報対象物に関する情報を携帯型端末で出力する情報提供システムにおいて、
前記情報対象物に固定配置されてその情報対象物の識別信号を所定範囲内に無線で連続的もしくは断続的に送信する識別信号送信手段と、
複数の識別信号にそれぞれ対応する複数の情報対象物の情報を保持するとともに特定の識別信号を与えられるとその識別信号に対応する情報対象物の情報を出力する情報保持手段と、
前記識別信号送信手段から識別信号を無線で受信すると前記情報保持手段に無線で接続してその受信した識別信号を与え、その情報保持手段から前記受信した識別信号に対応する情報対象物の情報を受け取って出力する携帯型端末と、
を具えることを特徴とする情報提供システム。
【請求項２】
前記識別信号送信手段はＢＬＥであることを特徴とする、請求項１記載の情報提供システム。
【請求項３】
前記情報保持手段はインターネットに常時接続されたサーバーであることを特徴とする、請求項１または２記載の情報提供システム。
【請求項４】
前記携帯型端末はアプリケーションソフトウェアとしてビーコンソフトウェアを搭載したスマートフォンであることを特徴とする、請求項１から３までの何れか１項記載の情報提供システム。
【請求項５】
前記情報保持手段は、識別信号に対応する情報対象物の情報を多言語で保持するかまたはその情報の言語の変換機能を有していて、前記携帯型端末から情報対象物の識別信号と一緒に送信される言語情報に対応する言語で情報を前記携帯型端末に送信するものであることを特徴とする、請求項１から４までの何れか１項記載の情報提供システム。
【手続補正２】
【補正対象書類名】明細書
【補正対象項目名】０００１
【補正方法】変更
【補正の内容】
【０００１】
この発明は、案内板や展示物等の情報対象物に関する情報を携帯電話機等の携帯型端末で提供する情報提供システムに関するものである。
【手続補正３】
【補正対象書類名】明細書
【補正対象項目名】０００８
【補正方法】変更
【補正の内容】
【０００８】
この発明は上述の点に鑑みて従来の情報提供システムの課題を有利に解決するものであり、この発明の情報提供システムは、情報対象物に関する情報を携帯型端末で出力する情報提供システムにおいて、前記情報対象物に固定配置されてその情報対象物の識別信号を所定範囲内に無線で連続的もしくは断続的に送信する識別信号送信手段と、複数の識別信号にそれぞれ対応する複数の情報対象物の情報を保持するとともに特定の識別信号を与えられるとその識別信号に対応する情報対象物の情報を出力する情報保持手段と、前記識別信号送信手段から識別信号を無線で受信すると前記情報保持手段に無線で接続してその受信した識別信号を与え、その情報保持手段から前記受信した識別信号に対応する情報対象物の情報を受け取って出力する携帯型端末と、を具えることを特徴とするものである。
【手続補正４】
【補正対象書類名】明細書
【補正対象項目名】０００９
【補正方法】変更
【補正の内容】
【０００９】
かかるこの発明の情報提供システムにあっては、識別信号送信手段は、案内板や展示物等の情報対象物に固定配置されてその情報対象物の識別信号を所定範囲内に無線で連続的もしくは断続的に送信し、その一方で情報保持手段は、複数の識別信号にそれぞれ対応する複数の情報対象物の情報を保持するとともに特定の識別信号を与えられるとその識別信号に対応する情報対象物の情報を出力し、携帯型端末は、識別信号送信手段から所定範囲内に入ってその識別信号送信手段から識別信号を無線で受信すると、情報保持手段に無線で接続して識別信号送信手段から受信した識別信号を情報保持手段に与え、識別信号送信手段から受信した識別信号に対応する情報対象物の情報を情報保持手段から受け取ってその情報を出力する。
【手続補正５】
【補正対象書類名】明細書
【補正対象項目名】００１０
【補正方法】変更
【補正の内容】
【００１０】
従って、この発明の情報提供システムによれば、携帯型端末を所持した人が案内板や展示物等の情報対象物に近寄るだけで、携帯型端末からその情報対象物に関する情報が文字や画像や音声等で出力されるので、携帯型端末を所持した人はその情報対象物に関する情報を容易に受け取ることができる。
【手続補正６】
【補正対象書類名】明細書
【補正対象項目名】００１１
【補正方法】変更
【補正の内容】
【００１１】
しかも、この発明の情報提供システムによれば、情報保持手段は携帯型端末と無線で接続できさえすればどこに設置されていてもよく、携帯型端末は情報対象物の識別信号の、識別信号送信手段からの受信と情報保持手段への送信およびその識別信号に対応する情報対象物の情報の受信および出力を行う機能を例えば動作プログラム（アプリケーションソフトウェア）として与えられていれば足りるので、容易に情報提供システムを構築でき、構築費用も安価に済ませることができる。
【手続補正７】
【補正対象書類名】明細書
【補正対象項目名】００１２
【補正方法】変更
【補正の内容】
【００１２】
なお、この発明の情報提供システムにおいては、前記識別信号送信手段はＢＬＥ（Bluetooth（登録商標） Low Energy）であってもよく、前記情報保持手段はインターネットに常時接続されたサーバーであってもよく、そして前記携帯型端末はアプリケーションソフトウェアとしてビーコン（Beacon）ソフトウェアを搭載したスマートフォンであってもよい。
また、この発明の情報提供システムにおいては、前記情報保持手段は、識別信号に対応する情報対象物の情報を多言語で保持するかまたはその情報の言語の変換機能を有していて、前記携帯型端末から情報対象物の識別信号と一緒に送信される言語情報に対応する言語で情報を前記携帯型端末に送信するものであってもよい。
【手続補正８】
【補正対象書類名】明細書
【補正対象項目名】００１５
【補正方法】変更
【補正の内容】
【００１５】
この実施形態の情報提供システムは、図１に示すように、例えば公園内の特定箇所に設置されて情報としての地図情報Ｍを表示する情報対象物としての案内板Ｇの背面に埋設固定された識別信号送信手段としての例えばＢＬＥ（Bluetooth（登録商標） Low Energy）１と、インターネットＮに図示しないルーターを介して常時接続された情報保持手段としての例えばサーバー２と、ＢＬＥ１からブルートゥース（登録商標）規格に基づき無線で識別信号を受信し得るとともに基地局Ｂおよび電話局Ｔを介してインターネットＮに接続し得る携帯型端末としての例えばスマートフォン３とを具えている。
【手続補正９】
【補正対象書類名】明細書
【補正対象項目名】００１７
【補正方法】変更
【補正の内容】
【００１７】
また、ここでのサーバー２は、通常のコンピュータにより構成され、あらかじめ与えられたプログラムに基づき作動するもので、機能的には、上記案内板Ｇを示す識別信号を含む複数の識別信号にそれぞれ対応する複数の情報対象物の情報を保持する情報保持部２ａと、インターネットＮを介して特定の情報端末から特定の識別信号を与えられるとその識別信号に対応する情報対象物の情報を情報保持部２ａから読み出してその特定の情報端末に出力するインターフェイス部２ｂとを有している。
【手続補正１０】
【補正対象書類名】明細書
【補正対象項目名】００１８
【補正方法】変更
【補正の内容】
【００１８】
そして、ここでのスマートフォン３は、マイクロコンピュータの如き演算処理機能と携帯電話機の如き無線通信機能とを有する通常のもので、アプリケーションソフトウェアとしてのいわゆるビーコン（Beacon）ソフトウェアを搭載し、そのビーコンソフトウェアを実行することにより、機能的には、図２に示すように、ブルートゥース（登録商標）規格に基づき無線でＢＬＥ１から、ＢＬＥ１を固定設置された上記案内板Ｇの如き情報対象物を示す識別信号を受信する識別信号受信部３ａと、識別信号受信部３ａが識別信号を受信すると携帯電話基地局Ｂと無線で接続し、その携帯電話基地局Ｂと電話局Ｔ内のパケット交換機およびゲートウェイとインターネット回線Ｎとを介してサーバー２に接続して、その識別信号をサーバー２に送信し、これを受けたサーバー２が逆の経路で送信するその識別信号に対応する情報対象物の情報を受信して保存する識別信号対応情報取得部３ｂと、識別信号対応情報取得部３ｂが保存した情報をそれが文字や画像であればスマートフォン３のディスプレイ３ｄに表示し、それが音声であればスマートフォン３のスピーカーやイヤホンから出力する情報出力部３ｃとを有している。
【手続補正１１】
【補正対象書類名】明細書
【補正対象項目名】００２０
【補正方法】変更
【補正の内容】
【００２０】
かかる構成を具えるこの実施形態の情報提供システムにあっては、ＢＬＥ１は、案内板Ｇの背面に埋設固定されてその案内板Ｇを示す識別信号（ＩＤ）を半径数メートルの範囲内に無線で断続的に送信し、その一方でサーバー２は、複数の識別信号にそれぞれ対応する複数の情報対象物の情報を情報保持部２ａで保持するとともに特定の識別信号、例えば案内板Ｇを示す識別信号等をインターフェイス部２ｂに与えられるとその識別信号に対応する情報対象物の情報、例えば案内板Ｇの地図情報Ｍ等を情報保持部２ａから読み出してインターフェイス部２ｂから画像データ等として出力し、スマートフォン３は、ユーザーＵに所持されて案内板ＧのＢＬＥ１から半径数メートルの範囲内に入って、識別信号受信部３ａがそのＢＬＥ１から案内板Ｇを示す識別信号を無線で受信すると、識別信号対応情報取得部３ｂが、上記経路でサーバー２に接続し、ＢＬＥ１から受信した案内板Ｇを示す識別信号をサーバー２に与えて、その識別信号に対応する情報対象物である案内板Ｇの情報である地図情報Ｍをサーバー２から受け取り、情報出力部３ｃがその地図情報Ｍをディスプレイ３ｄに表示出力する。
【手続補正１２】
【補正対象書類名】明細書
【補正対象項目名】００２２
【補正方法】変更
【補正の内容】
【００２２】
しかもこの実施形態の情報提供システムによれば、サーバー２はスマートフォン３と無線で接続できさえすればどこに設置されていてもよく、あるいは複数台のサーバーで分散して情報を保持していてもよく、またスマートフォン３は情報対象物の識別信号の、ＢＬＥ１からの受信とサーバー２への送信およびサーバー２からのその識別信号に対応する情報対象物の情報の受信およびその情報の出力を行う機能をアプリケーションソフトウェアとして与えられていれば足りるので、容易に情報提供システムを構築でき、構築費用も安価に済ませることができる。
【手続補正１３】
【補正対象書類名】明細書
【補正対象項目名】００２３
【補正方法】変更
【補正の内容】
【００２３】
さらに、この実施形態の情報提供システムによれば、このシステム用のサーバー２の情報保持部２ａが情報対象物の情報を保持し、スマートフォン３は、情報対象物の情報が表示されたホームページでなくサーバー２の情報保持部２ａからその情報を受け取るので、ホームページを持っていない情報提供者でもこのシステムを利用して情報対象物の情報をスマートフォン３のユーザーＵに提供することができ、しかもウイルスソフトウェアへの感染の危険を除去することが一般に困難であるホームページを用いないので、スマートフォン３のユーザーＵは情報対象物の情報を安全に受け取ることができる。
【手続補正１４】
【補正対象書類名】明細書
【補正対象項目名】００２４
【補正方法】変更
【補正の内容】
【００２４】
なお、サーバー２は、識別信号に対応する情報対象物の情報を多言語で保持するかまたはその情報の言語の変換機能を有していて、スマートフォン３から情報対象物の識別信号と一緒に送信される言語情報に対応する言語で情報をスマートフォン３に送信してもよく、このようにすれば、スマートフォン３のユーザーＵは地図情報等の文字を自国の言語で読んだり展示物の説明等を自国の言語で聞いたりすることができる。
【手続補正１５】
【補正対象書類名】明細書
【補正対象項目名】００２５
【補正方法】変更
【補正の内容】
【００２５】
以上、図示例に基づき説明したが、この発明は上述の例に限定されるものでなく特許請求の範囲の記載範囲内で適宜変更し得るものであり、例えばこの発明の情報提供システムが情報を出力する情報対象物は、上記案内板Ｇを含む屋外サインの他、屋内サインや、博物館・動物園等の文化・娯楽施設における説明表示、植物園における樹名板等であってもよい。また、識別信号送信手段は、ＢＬＥ１でなく、赤外線等を用いて携帯型端末と光通信を行う機能を持つものでもよい。さらに、携帯型端末は、スマートフォン３でなく、インターネットに接続可能ないわゆるパッド型端末であってもよい。
【手続補正１６】
【補正対象書類名】明細書
【補正対象項目名】００２６
【補正方法】変更
【補正の内容】
【００２６】
かくしてこの発明の情報提供システムによれば、携帯型端末を所持した人が案内板や展示物等の情報対象物に近寄るだけで、携帯型端末からその情報対象物に関する情報が文字や画像や音声等で出力されるので、携帯型端末を所持した人はその情報対象物に関する情報を容易に受け取ることができ、しかも、容易に情報提供システムを構築でき、構築費用も安価に済ませることができる。